(57)【要約】【課題】ユーザにて操作ボタンが押されたときに、前記操作ボタンが上側ケースの背面側にもぐりこむのを抑制することができるとともに、組み立て時に操作ボタンが上側ケースの貫通孔に正確にガイドされ、それだけ組み立てやすいリモートコントローラを提供する。【解決手段】樹脂製の上側ケース１と、ゴム製の板状部材２と、配線基板３と、樹脂製の下側ケース４とを備えており、上側ケース１の背面側には、貫通孔１１の辺縁部１１１から内側に向けていった突設されているガイドリブ１３が形成されている。【選択図】図５
2008147875.tif 000002
【特許請求の範囲】
【請求項１】
複数の貫通孔を有する樹脂製の上側ケースと、
前記上側ケースの下面側に配置され、前記上側ケースの複数の貫通孔を介して前記上側ケースの側に突出する複数の操作ボタンが一体的に形成されたゴム製の板状部材と、
前記板状部材の下面側に配置された基板と、
前記基板の下面側に配置された樹脂製の下側ケースとを備えたリモートコントローラであって、
前記上側ケースは下面側より一体的に突出した補強リブと、前記下面側の前記貫通孔の辺縁部より一体的に内部に向けて突設されたガイドリブとを有しており、
前記補強リブは前記貫通孔を個別に囲むように形成されたものであり、
前記ガイドリブは前記貫通孔の周囲に所定の間隔をあけて複数個形成されるものであり、貫通孔に向けて傾斜した傾斜面を備えていることを特徴とするリモートコントローラ。
【請求項２】
複数の貫通孔を有する樹脂製の上側ケースと、
前記上側ケースの下面側に配置され、前記上側ケースの複数の貫通孔を介して前記上側ケースの側に突出する複数の操作ボタンが一体的に形成されたゴム製の板状部材と、
前記板状部材の下面側に配置された基板と、
前記基板の下面側に配置された樹脂製の下側ケースとを備えたリモートコントローラであって、
前記上側ケースは下面側より一体的に突出した補強リブと、前記下面側の前記貫通孔の辺縁部より一体的突出するガイドリブとを有しており、
前記補強リブは前記貫通孔を個別に囲むように形成されたものであり、
前記ガイドリブは前記貫通孔の周囲に所定の間隔をあけて複数個形成されるものであり、貫通孔側に膨らんだ曲面部を備えていることを特徴とするリモートコントローラ。
【請求項３】
複数の貫通孔を有する樹脂製の上側ケースと、
前記上側ケースの下面側に配置され、前記上側ケースの複数の貫通孔を介して前記上側ケースの側に突出する複数の操作ボタンが一体的に形成されたゴム製の板状部材と、
前記板状部材の下面側に配置された基板と、
前記基板の下面側に配置された樹脂製の下側ケースとを備えたリモートコントローラであって、
前記上側ケースは下面側より一体的に突出した補強リブと、前記下面側のより一体的突出するガイドリブとが形成されており、
前記補強リブは１つ又は複数の貫通孔を囲むように格子状に形成されており、
前記ガイドリブは前記補強リブと一体に連結されているとともに、前記貫通孔の辺縁部と同一面を形成するように傾斜しており、前記貫通孔の周りに所定の間隔をあけて複数個ずつ形成されていることを特徴とするリモートコントローラ。
【請求項４】
複数の貫通孔を有する樹脂製の上側ケースと、
前記上側ケースの下面側に配置され、前記上側ケースの複数の貫通孔を介して前記上側ケースの側に突出する複数の操作ボタンが一体的に形成され、弾性を備えた板状部材と、
前記板状部材の下面側に配置された基板と、
前記基板の下面側に配置された樹脂製の下側ケースとを備えたリモートコントローラであって、
前記上側ケースは下面側より一体的突出するガイドリブとが形成されており、
前記ガイドリブは前記貫通孔の周囲に所定の間隔をあけて複数個形成されるものであり、貫通孔に向けて傾斜した傾斜面を備えていることを特徴とするリモートコントローラ。
【請求項５】
前記貫通孔はすべて同じ形状を有しており、
前記ガイドリブは前記貫通孔の四方に等間隔を開けて備えられていることを特徴とする請求項４に記載のリモートコントローラ。
【発明の詳細な説明】
【技術分野】
【０００１】
本発明は、押しボタンを備え、音響機器、映像機器等の電子機器に指示を発するリモートコントローラに関するものである。
【背景技術】
【０００２】
音響機器、映像機器等の電子機器は、多くの場合、前記電子機器の操作を行うためのリモートコントローラを備えている。前記電子機器では、例えば該電子機器がＤＶＤ（Ｄｉｇｉｔａｌ  Ｖｅｒｓａｔｉｌｅ  Ｄｉｓｃ）レコーダの場合、前記リモートコントローラ電源入／切、再生、記録、停止、ディスク排出等の操作を行うことができる操作ボタンを多数有している。これらの面押しボタンがユーザにより押されることで前記面押しボタンに関連付けられた操作を無線（赤外線無線等）でＤＶＤレコーダの本体に操作指示を行うものである。
【０００３】
前記リモートコントローラとして、前記操作ボタンが一体的に形成された板状部材を備えたものが広く知られている。前記板状部材はゴム等の弾性を有する材料で一体形成されたものが用いられることが多い。前記リモートコントローラは、上側ケースと、複数個の操作ボタンが一体的に形成されたゴム製の板状部材と、プリント配線基板と、下側ケースとを有している。
【０００４】
前記上側ケースには、前記操作ボタンを上側ケースの上部に突出させるための貫通孔が複数個設けられている。前記貫通孔は前記操作ボタンが挿入されたときに隙間ができるように形成されている。前記プリント配線基板は制御信号を発信するための赤外線発光部と、前記操作ボタンに押圧される接点部を有している。前記接点部が前記操作ボタンに押されることで、前記赤外線発光部より前記操作ボタンに関連付けられた操作の信号を発信する（実用新案登録第３１１９４６６号公報参照）。
【０００５】
【特許文献１】実用新案登録第３１１９４６６号公報
【発明の開示】
【発明が解決しようとする課題】
【０００６】
しかしながら、複数個の操作ボタンが一体的に形成された板状部材を備えたリモートコントローラの場合、前記操作ボタンを奥まで押すと、前記操作ボタンが変形し、前記操作ボタンの前記上側ケースの上部に突出している部分が前記上側ケースの背面にもぐりこみ、前記接点部が常時押圧された状態で静止してしまうことがある。
【０００７】
前記操作ボタンが上側ケースの背面にもぐりこむと、前記操作ボタンを押しても操作することができなかったり、間違った操作が行われたりする場合がある。前記操作ボタンのもぐりこみはリモートコントローラの見栄えも悪く、操作を行うときにユーザがもぐりこんだ操作ボタンを元に戻さなくてはならないので、手間もかかる。
【０００８】
そこで本発明は、ユーザにて操作ボタンが押されたときに、前記操作ボタンが上側ケースの背面側にもぐりこむのを抑制することができるリモートコントローラを提供することを目的とする。
【０００９】
また、本発明は、複雑な構造を有することなく、組み立て時に操作ボタンが上側ケースの貫通孔に正確にガイドされ、それだけ組み立てやすいリモートコントローラを提供することを目的とする。
【課題を解決するための手段】
【００１０】
上記目的を達成するために本発明は、複数の貫通孔を有する樹脂製の上側ケースと、前記上側ケースの下面側に配置され、前記上側ケースの複数の貫通孔を介して前記上側ケースの側に突出する複数の操作ボタンが一体的に形成されたゴム製の板状部材と、前記板状部材の下面側に配置された基板と、前記基板の下面側に配置された樹脂製の下側ケースとを備えたリモートコントローラであって、前記上側ケースは下面側より一体的に突出した補強リブと、前記下面側のより一体的突出するガイドリブとが形成されており、前記補強リブは１つ又は複数の貫通孔を囲むように格子状に形成されており、前記ガイドリブは前記補強リブと一体に連結されているとともに、前記貫通孔の辺縁部と同一面を形成するように傾斜しており、前記貫通孔の周りに所定の間隔をあけて複数個ずつ形成されていることを特徴とする。
【００１１】
この構成によると、前記ガイドリブが形成さていることで、を組み立てるときに、前記操作ボタンが前記ガイドリブにガイドされ、前記貫通孔に正確にガイドされるので、前記操作ボタンの上面部が貫通孔の辺縁部に引っかからないので、組み立てが容易になる。
【００１２】
また、ユーザが前記操作ボタンを押し込んだときに前記操作ボタンの上面部が前記上側ケースの背面側にもぐりこみ、前記上面部が前記貫通孔の前記辺縁部に引っかかって、戻らなくなるのを抑制することができる。これにより、操作感をよくすることができるとともに、前記操作ボタンがもぐりこむことにより、前記基板上の端子部が常時押された状態になり、端子部が破損したり、誤作動したりする不具合の発生を抑制することができる。また、前記ガイドリブが銭補強リブと同様に補強の効果も得ることができ、前記上側ケースの曲げ、ねじり強度を上げることができる。
【００１３】
上記構成において、前記貫通孔はすべて同じ形状を有しており、前記ガイドリブは前記貫通孔の四方に等間隔を空けて備えられているものであってもよい。
【００１４】
本発明にかかるリモートコントローラは次のようなものであってもよい。すなわち、複数の貫通孔を有する樹脂製の上側ケースと、前記上側ケースの下面側に配置され、前記上側ケースの複数の貫通孔を介して前記上側ケースの側に突出する複数の操作ボタンが一体的に形成されたゴム製の板状部材と、前記板状部材の下面側に配置された基板と、前記基板の下面側に配置された樹脂製の下側ケースとを備えたリモートコントローラであって、前記上側ケースは下面側より一体的に突出した補強リブと、前記下面側の前記貫通孔の辺縁部より一体的に内部に向けて突設されたガイドリブとを有しており、前記補強リブは前記貫通孔を個別に囲むように形成されたものであり、前記ガイドリブは前記貫通孔の周囲に所定の間隔をあけて複数個形成されるものであり、貫通孔に向けて傾斜した傾斜面を備えていることを特徴とするリモートコントローラ。
【００１５】
また、本発明にかかるリモートコントローラは次のようなものであってもよい。すなわち、複数の貫通孔を有する樹脂製の上側ケースと、前記上側ケースの下面側に配置され、前記上側ケースの複数の貫通孔を介して前記上側ケースの側に突出する複数の操作ボタンが一体的に形成されたゴム製の板状部材と、前記板状部材の下面側に配置された基板と、前記基板の下面側に配置された樹脂製の下側ケースとを備えたリモートコントローラであって、前記上側ケースは下面側より一体的に突出した補強リブと、前記下面側の前記貫通孔の辺縁部より一体的突出するガイドリブとを有しており、前記補強リブは前記貫通孔を個別に囲むように形成されたものであり、前記ガイドリブは前記貫通孔の周囲に所定の間隔をあけて複数個形成されるものであり、貫通孔側に膨らんだ曲面部を備えていることを特徴とするリモートコントローラ。
【００１６】
さらに、本発明にかかるリモートコントローラは次のようなものであってもよい。複数の貫通孔を有する樹脂製の上側ケースと、前記上側ケースの下面側に配置され、前記上側ケースの複数の貫通孔を介して前記上側ケースの側に突出する複数の操作ボタンが一体的に形成されたゴム製の板状部材と、前記板状部材の下面側に配置された基板と、前記基板の下面側に配置された樹脂製の下側ケースとを備えたリモートコントローラであって、前記上側ケースは下面側より一体的に突出した補強リブと、前記下面側のより一体的突出するガイドリブとが形成されており、前記補強リブは１つ又は複数の貫通孔を囲むように格子状に形成されており、前記ガイドリブは前記補強リブと一体に連結されているとともに、前記貫通孔の辺縁部と同一面を形成するように傾斜しており、前記貫通孔の周りに所定の間隔をあけて複数個ずつ形成されていることを特徴とするリモートコントローラ。
【発明の効果】
【００１７】
本発明によると、ユーザにて操作ボタンが押されたときに、前記操作ボタンが上側ケースの背面側にもぐりこむのを抑制することができるリモートコントローラを提供することができる。
【００１８】
また本発明によると、複雑な構造を有することなく、組み立て時に操作ボタンが上側ケースの貫通孔に正確にガイドされ、それだけ組み立てやすいリモートコントローラを提供することができる。
【発明を実施するための最良の形態】
【００１９】
以下に本発明の実施形態を図面を参照して説明する。図１は本発明にかかるリモートコントローラの分解斜視図であり、図２は図１に示す上側ケースの背面側から見た拡大図であり、図３は図２に示す上側ケースをＸ−Ｘ線で切断したときの拡大断面図であり、図４は図２示す上側ケースをＹ−Ｙ線で切断したときの拡大断面図である。図１に示すように、リモートコントローラＡは、樹脂製の上側ケース１と、ゴム製の板状部材２と、配線基板３と、樹脂製の下側ケース４とを備えている。
【００２０】
ゴム製の板状部材２には、複数の操作ボタン２１が一体的に形成されている。また、上側ケース１には、板状部材２の操作ボタン２１を上側ケース１の上面側に突出させるための貫通孔１１が複数個形成されている。この貫通孔１１は、操作ボタン２１が挿入されたときに、貫通孔１１の縁辺部と操作ボタン２１との間に所定の間隔の隙間ができる程度の大きさ及び形状で形成されているものである。
【００２１】
配線基板３には、操作ボタン２１に押圧される接点部（図示省略）と、操作用の赤外線信号を発信するための赤外線発光部３１とが備えられている。この接点部は操作ボタン２１によって押圧されることで、赤外線発光部３１より操作ボタン２１に割り当てられた操作を行うための制御信号を発信するものである。
【００２２】
下側ケース４は配線基板３を保持することができるものであり、図示を省略したが赤外線発光部３１が外部に露出するように、開口部を備えている。上側ケース１、板状部材２、配線基板３及び下側ケース４は図示を省略したボルトで固定されている。
【００２３】
図２に示すように、上側ケース１の背面側には、貫通孔１１を１個ずつ囲む補強リブ１２が形成されている。補強リブ１２を形成することで、上側ケース１の上面側の壁部を薄く形成しても、上面側壁部が変形したり破損したりするのを防ぐことができる。補強リブ１２は厚い形状のもののほうが補強効果が高くなるが、背面の面積が小さいのでここでは、細めの補強リブ１２を形成するものを例示している。
【００２４】
図２、図３、図４に示すように、上側ケース１の背面側には、貫通孔１１の辺縁部１１１から内側に向けていった突設されているガイドリブ１３が形成されている。図２、図３、図４に示すように、ガイドリブ１３は貫通孔１１に向けて窄まる形状の傾斜面を有しており、一方の端部は貫通孔１１の辺縁部１１１と接続するように、他方の端部は補強リブ１２と一体に接続するように形成されている。また、ガイドリブ１３は貫通孔１１の周囲に略一定の間隔をあけて形成されている。
【００２５】
図５は上側ケースの貫通孔に操作ボタンを配置した状態の断面図である。図５に示すように、ガイドリブ１３が形成さていることで、リモートコントローラＡを組み立てるときに、操作ボタン２１がガイドリブ１３にガイドされ、貫通孔１１に正確にガイドされるので、操作ボタン２１の上面部２１１が貫通孔１１の辺縁部１１１に引っかからないので、組み立てが容易になる。
【００２６】
また、ユーザが操作ボタン２１を押し込んだときに操作ボタン２１の上面部２１１が上側ケース１の背面側にもぐりこみ、上面部２１１が貫通孔１１の辺縁部１１１に引っかかって、戻らなくなるのを抑制することができる。これにより、リモートコントローラＡの操作感をよくすることができるとともに、操作ボタン２１がもぐりこむことにより、配線基板３上の端子部が常時押された状態になり、端子部が破損したり、誤作動したりする不具合の発生を抑制することができる。また、ガイドリブ１３が補強リブ１２と同様に補強の効果も得ることができ、上側ケース１の曲げ、ねじり強度を上げることができる。
【００２７】
図６は本発明にかかるリモートコントローラの図３と同じ線で切断したときの拡大断面図である。図６に示す上側ケース５では、貫通孔５１、補強リブ５２、ガイドリブ５３とを有している。ガイドリブ５３は貫通孔５１の辺縁部５１１より内側に一体突設されるものであり、貫通孔５１に向けて傾斜する傾斜面５３１を備えている。ガイドリブ５３は貫通孔５１の周囲に一定の間隔をあけて形成されている。
【００２８】
ガイドリブ５３の傾斜面５３１が形成されていることで、板状部材２を上側ケース５に取り付けるときに取り付けやすい。補強リブ５２とガイドリブ５３とが連結していないので、補強リブ５２とガイドリブ５３とが離れている場合であっても、無駄なく製造することができる。
【００２９】
また、図７に示すように、傾斜面５３１の代わりに貫通孔５１に向けて窄まるとともに膨らんでいる曲面部５３２が形成されているものであってもよい。
【００３０】
上記実施例において、操作ボタンがゴムで製造されるものを例に説明を行っているが、それに限定されるものではなく、弾性を有する素材（例えば、ウレタン、シリコンゴム等）で製造されるものであってもよい。
【００３１】
以上、発明の実施形態を具体的に説明したが、本発明は上記実施形態に限定するものではなく、その要旨を逸脱しない範囲で種々変更可能である。
【産業上の利用可能性】
【００３２】
本発明は、離れた場所より機器を操作するリモートコントローラでゴム製の操作ボタンを備えたものに適用することが可能である。
【図面の簡単な説明】
【００３３】
【図１】本発明にかかるリモートコントローラの分解斜視図である。
【図２】図１に示す上側ケースの背面側から見た拡大図である。
【図３】図２に示す上側ケースをＸ−Ｘ線で切断したときの拡大断面図である。
【図４】図２示す上側ケースをＹ−Ｙ線で切断したときの拡大断面図である。
【図５】上側ケースの貫通孔に操作ボタンを配置した状態の断面図である。
【図６】本発明にかかるリモートコントローラの図３と同じ線で切断したときの拡大断面図である。
【図７】本発明にかかるリモートコントローラの図３と同じ線で切断したときの拡大断面図である。
【符号の説明】
【００３４】
１  上側ケース
１１  貫通孔
１２  補強リブ
１３  ガイドリブ
２  板状部材
２１  操作ボタン
３  配線基板
３１  赤外線発光部
４  下側ケース
【図１】
2008147875.tif 000003
【図２】
2008147875.tif 000004
【図３】
2008147875.tif 000005
【図４】
2008147875.tif 000006
【図５】
2008147875.tif 000007
【図６】
2008147875.tif 000008
【図７】
2008147875.tif 000009